(57)【特許請求の範囲】
【請求項１】
支柱が上部支柱と基部支柱から構成され、上部支柱に巻取りローラーが設けられ、隣設した上部支柱間に前記巻取りローラーに巻き取り可能にネットが設けられると共に、隣設する支柱側に向け展張すること、及び、上部支柱は基部支柱にネットの展張方向に傾倒可能に設けられていることを特徴とする巻取り式防風・防雪柵。
【請求項２】
ネットの巻取りローラーが支柱の一方の側面に、支柱に平行して設けられ、支柱の他方の側面に、この側面と隣設する側の支柱のネットの展張端が着脱可能に取り付けられることを特徴とする請求項1記載の巻取り式防風・防雪柵。
【請求項３】
基部支柱間にガードレールが渡設されていることを特徴とする請求項１又は２記載の巻取り式防風・防雪柵。
【請求項４】
ネットはベルトを縦横に交差させて成ることを特徴とする請求項１、２又は３記載の巻取り式防風・防雪柵。
【請求項５】
ベルトは合成繊維、天然繊維又は合成繊維と天然繊維の組み合わせにより形成されていることを特徴とする請求項４記載の巻取り式防風・防雪柵。
【発明の詳細な説明】
【０００１】
【発明の属する技術分野】
本発明は、防風、防雪を目的として使用される巻取り式防風・防雪柵に関するものである。
【０００２】
【従来の技術】
従来、巻取り式防風・防雪柵として、隣接した支柱間に昇降自在に設けた上梁と、隣接した支柱間に回転自在に設けた下梁との間に格子状又は簀の子状の遮蔽シートを展張し、かつ支柱に上梁を固定するロック装置を設け、不使用時に下梁に遮蔽シートを巻き取る巻取り収納式フェンスが提案されている。
【０００３】
又、支柱が折れ曲がる防雪フェンスとして、対向する２本の支柱と、支柱間に設けた上部フレーム及び下部フレームと、フェンス本体とを有し、各支柱は各支柱本体が直立した状態で互いに平行で、対向する支柱側に折れ曲がるように配置され、前記上部フレームは直立した各支柱の上部に両端が着脱可能に接続され、前記下部フレームは直立した各支柱の下部に両端が着脱可能に接続され、前記フレーム本体は直立した各支柱並びに各支柱に接続された前記上部フレーム及び前記下部フレームの内側に着脱可能に取り付けられ、不使用時に支柱が折り畳まれる防雪フェンスが既に存在する。
【０００４】
【発明が解決しようとする課題】
道路沿い等に設置される防風・防雪柵は、通行車両に作用する強風時の横風力を減衰したり、路面の積雪を弱めたり、車両の安全走行を確保する重要な防護施設であるが、比較的安定した気象条件が続く時季は視界が遮られ、特に風光明媚な地区では目障りな存在となる。
そこで、上記従来のように、不使用時に遮蔽シートを下梁に巻き取る巻取り収納式フェンスや、不使用時に支柱が折り畳まれる防雪フェンスが提案され、景観を損なうことがないように工夫されている。
【０００５】
しかしながら、巻取り収納式フェンスはフェンスの展張に上梁と下梁を必要とする。そして下梁を回転させて遮蔽シートを下梁に巻き取ると、上梁も一緒に下降して隣接する支柱間の下方に上梁と下梁が渡設された状態で残ってしまうことになると共に、支柱も立設された状態で残り目障りとなる。
【０００６】
又、支柱が折り畳まれる防雪フェンスは、フェンス本体の取り付けに側部取り付けバーと、上部フレーム及び下部フレームを必要とし、不使用時にはフェンス本体と上部フレーム及び下部フレームを各支柱から取り外さなければならない。  そして、支柱は対向する支柱の側に折れ曲がるもので、側部取り付けバーが取り付けられた状態で二段にあらわれ、景観に問題が残ると共に使用時には上部フレーム及び下部フレームを取り付けた後に、再びフェンス本体を取り付けなければならなく、非常に手数が掛かる問題点を有していた。
【０００７】
上記点より、本発明は強風時や降雪時に壁面を構成して横風力を減衰したり、路面の積雪を弱めて車両の安全走行を確保し、比較的安定した穏やかな気象状態時には視界を確保して景観を損なう事がなく、ネットの展張及び巻き取りが容易に可能な巻取り式防風・防雪柵を提供しようとするものである。
【０００８】
【課題を解決するための手段】
上記課題を解決するため請求項１記載の本発明巻取り式防風・防雪柵は、支柱が上部支柱と基部支柱から構成され、上部支柱に巻取りローラーが設けられ、隣設した上部支柱間に前記巻取りローラーに巻き取り可能にネットが設けられると共に、隣設する支柱側に向け展張すること、及び、上部支柱は基部支柱にネットの展張方向に傾倒可能に設けられていることを特徴とするものである。
【０００９】
このような構成とすることにより、ネットを隣接する支柱側に向け展張すれば支柱間に壁面が形成され、防風及び防雪等の作用を有する。
そして、比較的安定した穏やかな気象状態時には、ネットを支柱側に巻き取ることにより視界が確保されると共に、景観を損なう事が防止される。
又、巻き取りは支柱側に巻き取られるので、支柱間が総て開放され、視界を遮るものは存在しない。
又、ネットを上部支柱に巻き取った後、上部支柱をネットの展張方向へ倒しておけば、基部支柱から上方は視界を遮るものはなく、景観を損なう事が防止される。
【００１０】
次に、請求項２の本発明巻取り式防風・防雪柵は、請求項１の巻取り式防風・防雪柵において、ネットの巻取りローラーが支柱の一方の側面に、支柱に平行して設けられ、支柱の他方の側面に、この側面と隣接する側の支柱のネットの展張端が着脱可能に取り付けられることを特徴とするものである。
【００１１】
このような構成とすることにより、ネットの展張は巻取りローラーを巻取り反対方向に回転させながら巻き取られているネットの展張端を引き出し、隣接の支柱の巻取りローラーを有する側面と反対側の側面に取り付ける。
又、ネットの巻き取りは、ネットの展張端を隣接の支柱の側面から外して巻取りローラーをネットの巻かれる方向へ回転する。
【００１２】
次に、請求項３の本発明巻取り式防風・防雪柵は、請求項１又は２の巻取り式防風・防雪柵において、基部支柱間にガードレールが渡設されていることを特徴とするものである。
【００１３】
このような構成とすることにより、道路沿いに設置されるとガードレールにより車両の安全走行を確保できると共に、ガードレールに車両が衝突しても傾倒した支柱はガードレールの存在により破損されることを防止でき、支柱の保護に役立つものである。
【００１４】
次に、請求項４の本発明巻取り式防風・防雪柵は、請求項１、２又は３の巻取り式防風・防雪柵において、ネットはベルトを縦横に交差させて成ることを特徴とするものである。
【００１５】
このような構成とすることにより、柔軟でかつ丈夫なネットとなる。
【００１６】
次に、請求項５の本発明巻取り式防風・防雪柵は、請求項４記載の巻取り式防風・防雪柵において、ベルトは合成繊維、天然繊維又は合成繊維と天然繊維の組み合わせにより形成されていることを特徴とするものである。
【００１７】
このような構成とすることにより、ベルトは合成繊維や天然繊維を使用するので、素材が合成樹脂のものに比べ引っ張り強度を有する。
【００１８】
【発明の実施の形態】
以下、本発明の一実施の形態を図面に基づき説明する。
図１は本発明巻取り式防風・防雪柵の一実施の形態を示す正面図、図２は図１の拡大縦断側面図、図３は図１の拡大平面図である。
【００１９】
而して、図中１は一定の間隔で立設した支柱であり、支柱１は複数本設置され、隣接する支柱１間にネット２が展張されている。
支柱１は設置箇所に固定された基部支柱３と、この基部支柱３に対しネット２の展張方向に傾倒する上部支柱４から構成されている。
【００２０】
基部支柱３はＨ型鋼を使用し、その溝が側面側となるよう隣接の基部支柱３と溝を対向させて配設されている。
又、基部支柱３の前面壁３Ａ及び後面壁３Ｂの上部に、軸受５を内側に設けた上下方向に長い軸受プレート６の下部がボルト及びナット等の止着部材７で固定されている。
【００２１】
そして、隣接する基部支柱３の前面の軸受プレート６Ａ間にガードレール８が渡設され、端部がボルト及びナット等の止着部材９で軸受プレート６Ａに固定されている。
ガードレール８は長手方向に延長した山と谷が上下方向に交互に形成された折板により構成されている。
【００２２】
次に、上部支柱４は基部支柱３と僅かに間隔をおいて上方にＨ型鋼を使用し、その溝が側面となるよう隣接の上部支柱４と溝を対向させて配設されている。
そして、上部支柱４の下方で上部支柱４の前面壁４Ａ及び後面壁４Ｂの外側に支軸１０が突設され、この支軸１０は基部支柱３の軸受プレート６に設けた軸受５に回動可能に嵌挿されている。
【００２３】
又、上部支柱４の中央部の仕切り壁４Ｃの一方の側面の上端部及び下方付近に水平なブラケット１１が溶接等により固定され、この上・下ブラケット１１間に水平回転する巻取りローラー１２の回転軸１３の上下端が回動可能に軸支されている。
又、上部支柱４の仕切り壁４Ｃの他方の側面の上下方向に所定の間隔で複数個の環体１４が水平に設けられている。この環体１４は仕切り壁４Ｃの前方側に設けられている。
各上部支柱４は同一方向に向けて配設され、隣接の上部支柱４は巻取りローラー１２側と環体１４側が対向する。
【００２４】
又、図７に示すように、巻取り駆動部は巻取りローラー１２の回転軸１３の下部端に傘歯車１５が固定され、この傘歯車１５と９０°の角度で噛合する傘歯車１６の歯車軸１７が上部支柱４の後面壁４Ｂに固定された側方へ突出した板状のブラケット１８に挿通され、歯車軸１７の端部と対向する後部側の軸受プレート６Ｂにハンドル挿入用孔１９が穿設されている。
【００２５】
この歯車軸１７に円板２０の中央部が固定され、円板２０面の同一径の円上に複数個の孔２１が穿設されると共に、後部側の軸受プレート６Ｂに一個のピン挿通孔２２が穿設され、このピン挿通孔２２は孔２１と対向する位置に設けられ、ピン挿通孔２２から孔２１へピン２３が着脱可能に挿通され、傘歯車１６の回動を阻止する。
【００２６】
又、歯車軸１７の端部は断面が四角形状の角軸１７Ａに形成され、この角軸１７Ａに角軸１７Ａと合致する凹部を端部に有するハンドル２４が着脱可能に嵌合する。
尚、巻取り駆動部はかかる構成に限定されるものではないことは勿論である。
【００２７】
又、上部支柱４の前面壁４Ａ及び後面壁４Ｂの外側に壁面より巾の広いカバープレート２５Ａ、２５Ｂが上部支柱４の上端から支軸１０の上方付近まで当着されている。
又、後部側のカバープレート２５Ｂは両側が上部支柱４の奥行きの略中央部まで９０°前方に向け屈曲し、前部側のカバープレート２５Ａとの間に上下方向に渉って両側に開口部２６が形成され、ネット２が出入り可能となっている。
【００２８】
又、上部支柱４は支軸１０を支点としてネットの展張方向側（巻取りローラー取り付け側）に傾倒し、そのため上部支柱４の下部に断面が略コ字形の取り付けブラケット２７が上部支柱４の傾倒方向と反対側に垂設され、この取り付けブラケット２７に上部支柱４のネットの展張方向側への傾倒時に上部支柱４が水平状態で保持するよう数枚の板状のバランスウェイト２８が固定されている。又このバランスウェイト２８の両側に握手２９が取り付けられている。
又、取り付けブラケット２７の両側の側壁は上部支柱４の前面壁４Ａ及び後面壁４Ｂの側端部に溝を対向させて溶接等により一体に固定されている。
【００２９】
そして、取り付けブラケット２７の下部の両側壁間に板体３０が渡設され、この板体３０から基部支柱３の仕切り壁３Ｃにボルト３１が挿通され、ナット３２で取り付けブラケット２７は基部支柱３に着脱可能に固定されている。これにより上部支柱４は基部支柱３に対し直立状態を保持する。
【００３０】
次に、ネット２は合成繊維、天然繊維、又は合成繊維と天然繊維の組み合わせにより形成されたベルト２Ａを縦横に交差させ格子状に構成されている。
ネット２の一方の側端部は巻取りローラー１２に固定され、他方の側端部は上下方向に延長した側部取り付け枠３３に固定され、この側部取り付け枠３３の上下方向に上部支柱４の環体１４と対向する位置に鉤状のフック３４が固定され、このフック３４が環体１４に着脱可能に掛止する。
【００３１】
このような構成を有する本発明の作用を説明すれば、ネットの使用時は各上部支柱４を基部支柱３上に直立させる。直立は上部支柱４の下部に設けた取り付けブラケット２７の板体３０と、基部支柱３の仕切り壁３Ｃをボルト３１及びナット３２で固定することにより保持される。
そして、ハンドル２４の端部を軸受プレート６Ｂのハンドル挿入用孔１９から挿し込み、傘歯車１６の歯車軸１７の角軸１７Ａに嵌合し、巻取りローラー１２がネット２を引き出す方向に回転するようハンドル２４を回しながらネット２を引き出し、ネット２の側部取り付け枠３３のフック３４を隣接の上部支柱４の環体１４に引っ掛けて固定する（図６）。
【００３２】
ネット２を固定した後、今度はハンドル２４をネット２を巻き取る方向に少し回転させて、ネット２が弛まないよう張力を掛けて後部側の軸受プレート６Ｂのピン挿通孔２２からピン２３を挿通し、傘歯車１６の歯車軸１７に設けた円板２０の孔２１にピン２３の先方部を挿通することにより、傘歯車１６の回動は阻止され、ネット２は上部支柱４間に張力が掛かった状態で展張される。展張後はハンドル２４を外しておく。
【００３３】
次に、不使用時はピン２３を円板２０の孔２１から外し、ハンドル２４を傘歯車１６の歯車軸１７の角軸１７Ａに再び嵌合し、巻取りローラー１２がネット２を巻き取る方向に回転するようハンドル２４を回し、ネット２を巻取りローラー１２に巻き取れば上部支柱４間は開放される（図４）。
巻き取り後、ハンドル２４を外す。
【００３４】
次に、上部支柱４を傾倒する時は、上部支柱４の取り付けブラケット２７の下部と基部支柱４の下部とを固定するボルト３１及びナット３２を外し、バランスウェイト２８の握手２９を両手で持ち、バランスウェイト２８を水平状態になるよう持ち上げれば、上部支柱４は支軸１０を支点に回動し、ネットの展張方向側の支柱１側に水平状態で倒され保持される（図５）。
尚、上部支柱４が倒された時、上部支柱４はガードレール８の背面に位置し、前方が殆ど見えないか、支軸１０部を下げて全く見えないようにすることもできる。
又、上部支柱４を直立させる時は、バランスウェイト２８の握手２９を両手で持ち、バランスウェイト２８を押し下げることにより行う。
【００３５】
【発明の効果】
本発明によれば、不使用時にネットを支柱側に巻き取られるので、支柱間が総て開放され、視界を遮るものは存在しないので景観を損なう事が防止される。
又、上部支柱は不使用時に傾倒可能で、然もネットは上部支柱に巻き取られた状態で傾倒するため、基部支柱の上方は総て開放され、景観が良好であると共に上部支柱の傾倒に際してネットの着脱の手数が省かれ作業性が良い。
【図面の簡単な説明】
【図１】  本発明巻取り式防風・防雪柵の一実施の形態を示す正面図である。
【図２】  本発明巻取り式防風・防雪柵の一実施の形態を示す拡大断面図である。
【図３】  本発明巻取り式防風・防雪柵の一実施の形態を示す拡大平面図である。
【図４】  本発明巻取り式防風・防雪柵のネットの巻き取り状態を示す正面図である。
【図５】  本発明巻取り式防風・防雪柵の上部支柱を傾倒した状態を示す正面図である。
【図６】  本発明巻取り式防風・防雪柵のネットの引っ掛かり状態を示す部分断面図である。
【図７】  本発明巻取り式防風・防雪柵の巻取り駆動部の断面図である。
【符号の説明】
１              支柱
２              ネット
３              基部支柱
４              上部支柱
６              軸受プレート
８              ガードレール
１０            支軸
１２            巻取りローラー
１４            環体
１５、１６      傘歯車
１７            歯車軸
１９            ハンドル挿入用孔
２０            円板
２１            孔
２２            ピン挿通孔
２３            ピン
２４            ハンドル
２５Ａ、２５Ｂ  カバープレート
２６            開口部
２７            取り付けブラケット
２８            バランスウェイト
３１            ボルト
３２            ナット
３３            側部取り付け枠
３４            フック
【図１】
0003825361.tif 000002
【図２】
0003825361.tif 000003
【図３】
0003825361.tif 000004
【図４】
0003825361.tif 000005
【図５】
0003825361.tif 000006
【図６】
0003825361.tif 000007
【図７】
0003825361.tif 000008